(57)【要約】 【課題】  ＰＴＴ（Ｐｕｓｈ  ｔｏ  Ｔａｌｋ）通信において、ユーザによる端末操作を必要とせずに、発言権を取得し、音声を他の端末装置に送信できる。【解決手段】  本発明によるＰｏＣ／Ｗ（Ｐｕｓｈ  ｔｏ  Ｔａｌｋ  ｏｖｅｒ  Ｃｅｌｌｕｌａｒ／Ｗｉｒｅｌｅｓｓ）通信システムは、通信網５に接続される指名端末２と、複数の端末装置３と、通信網５に接続されるＰｏＣサーバ１を具備する。ＰｏＣサーバ１は、端末装置３のいずれかに対し、ＰＴＴ（Ｐｕｓｈ  ｔｏ  Ｔａｌｋ）通信における発言権を付与するための発言権信号を送信し、発言権信号が受信される端末装置（３）は、端末装置（３）に入力される音声をトリガとして音声を音声パケットに変換し、ＰｏＣサーバ（１）を介して指名端末２や、他の端末装置（３）に対して音声パケットを転送する。【選択図】  図１
2006245934.tif 000002
【特許請求の範囲】
【請求項１】
通信網に接続される複数の端末装置と、
前記通信網に接続されるＰｏＣサーバを具備し、
前記ＰｏＣサーバは、前記端末装置のいずれかに対し、ＰＴＴ（Ｐｕｓｈ  ｔｏ  Ｔａｌｋ）通信における発言権を付与するための発言権信号を送信し、
前記発言権信号が受信される端末装置は、前記端末装置に入力される音声をトリガとして前記音声を音声パケットに変換し、前記複数の端末装置に含まれる他の端末装置に対して前記音声パケットを転送する
ＰｏＣ／Ｗ（Ｐｕｓｈ  ｔｏ  Ｔａｌｋ  ｏｖｅｒ  Ｃｅｌｌｕｌａｒ／Ｗｉｒｅｌｅｓｓ）通信システム。
【請求項２】
請求項１に記載のＰｏＣ／Ｗ通信システムにおいて、
前記複数の端末装置は、指名端末と第１の端末装置を含み、
前記指名端末は、発言権を付与する端末装置を指定するための指名情報を、前記ＰｏＣサーバに送信し、
前記ＰｏＣサーバは前記指名情報に応じて、前記発言権信号を第１の端末装置に送信し、前記発言権信号によって発言権を付与された前記第１の端末装置から送信される前記音声パケットを複製し、前記音声パケットを前記指名端末に転送する
ＰｏＣ／Ｗ通信システム。
【請求項３】
請求項２に記載のＰｏＣ／Ｗ通信システムにおいて、
前記複数の端末装置は、第２の端末装置を更に含み、
前記ＰｏＣサーバは前記音声パケットを前記第２の端末装置に転送する
ＰｏＣ／Ｗ通信システム。
【請求項４】
請求項３に記載の通信システムにおいて、
前記ＰｏＣサーバは、ＰＴＴ通信を実行するための接続勧誘信号を前記複数の端末装置に送信し、
前記複数の端末装置のいずれかは、前記接続勧誘信号に応答して参加表明信号を前記ＰｏＣサーバに送信し、
前記ＰｏＣサーバは、前記参加表明信号を送信する端末装置と、前記ＰｏＣサーバとの間のセッションを確立する
ＰｏＣ／Ｗ通信システム。
【請求項５】
請求項４に記載のＰｏＣ／Ｗ通信システムにおいて、
前記ＰｏＣサーバとの間のセッションが確立された端末装置は、前記ＰｏＣサーバに対し、前記端末装置の状態を示すプレゼンス情報を送信し、
前記ＰｏＣサーバは、前記プレゼンス情報と前記端末装置とを関連付けたユーザ情報を前記指名端末に送信し、
前記指名端末は、前記ユーザ情報を表示する
ＰｏＣ／Ｗ通信システム。
【請求項６】
請求項４又は５に記載のＰｏＣ／Ｗ通信システムにおいて、
前記通信網に接続され、前記複数の端末装置のそれぞれの位置情報を保持する外部サーバを更に具備し、
前記外部サーバは、前記位置情報を前記ＰｏＣサーバに送信し、
前記ＰｏＣサーバは、前記位置情報と前記複数の端末装置とを関連付けたユーザ情報を前記指名端末に送信し、
前記指名端末は、前記ユーザ情報を表示する
ＰｏＣ／Ｗ通信システム。
【請求項７】
請求項１に記載のＰｏＣ／Ｗ通信システムにおいて、
前記複数の端末装置は、第１の端末装置と第２の端末装置を含み、
前記ＰｏＣサーバは、前記第１及び第２の端末装置から送信される前記第１及び第２の端末装置の状態を示すプレセンス情報の各々に基づき、発言権を付与する端末装置を前記第１の端末装置と決定し、前記第１の端末装置に対し発言権信号を送信し、前記発言権信号によって発言権を付与された前記第１の端末装置から送信される前記音声パケットを複製し、前記音声パケットを前記第２の端末装置に転送する。
ＰｏＣ／Ｗ通信システム。
【請求項８】
請求項６に記載のＰｏＣ／Ｗ通信システムにおいて、
前記通信網に接続される外部サーバを更に具備し、
前記第１の端末装置及び第２の端末装置の位置情報を保持する
前記外部サーバは、前記第１の端末装置及び第２の端末装置の位置情報を保持し、前記位置情報を前記ＰｏＣサーバに送信し、
前記ＰｏＣサーバは、前記プレセンス情報の各々及び前記位置情報に基づき、発言権を付与する端末装置を前記第１の端末装置と決定し、前記第１の端末装置に対し発言権信号を送信し、前記発言権信号によって発言権を付与された前記第１の端末装置から送信される前記音声パケットを複製し、前記音声パケットを前記第２の端末装置に転送する。
ＰｏＣ／Ｗ通信システム。
【請求項９】
請求項２から８いずれか１項に記載のＰｏＣ／Ｗ通信システムにおいて、
前記ＰｏＣサーバは、前記複数の端末装置と、それぞれに固有のアドレスとを関連付けて登録されたグループリストを保持し、前記アドレスに従い前記アドレスに対応する端末装置に前記音声パケットを転送する
ＰｏＣ／Ｗ通信システム。
【請求項１０】
複数の端末装置を関連付けてグループリストとして登録するグループリスト管理部と、
前記複数の端末装置との間のＰＴＴ（Ｐｕｓｈ  ｔｏ  Ｔａｌｋ）通信における発言権を与えるための発言権信号を前記複数の端末装置のいずれかに送信し、前記端末装置から送信される音声パケットを複製して、前記グループリストに登録された他の端末装置に転送するＰＴＴ制御部とを備える
ＰｏＣサーバ。
【請求項１１】
請求項１０に記載のＰｏＣサーバにおいて、
前記ＰＴＴ制御部は、前記グループリストに登録された特定の端末装置からの要求に応じて、前記グループリストに登録された端末装置とのセッションを確立する接続部と、
前記セッションが確立された端末装置から前記端末装置の状態を示すプレゼンス情報を取得するプレゼンス制御部とを更に備え、
前記プレゼント情報制御部は、前記プレゼンス情報と前記端末装置とを関連付けて、前記複数の端末装置のいずれかに送信する
ＰｏＣサーバ。
【請求項１２】
請求項１０及び１１に記載のＰｏＣサーバにおいて、
前記グループリストを格納するグループリストデータベースを更に具備し、
前記グループリスト管理部は、グループを識別するグループＩＤと、前記端末装置を識別する端末ＩＤと、前記端末装置の固有のアドレスであるＰｏＣ／Ｗアドレスを関連付けて、前記グループリストデータベースに格納する
ＰｏＣサーバ。
【請求項１３】
請求項１１又は１２に記載のＰｏＣサーバにおいて、
前記プレゼンス情報を格納するプレゼンス情報データベースと、
外部サーバから前記複数の端末装置の各々の位置情報を取得するユーザ情報取得部とを更に具備し、
前記ユーザ情報取得部は、前記端末装置を識別する端末ＩＤと、前記位置情報と、前記プレゼンス情報とを関連付けて前記プレゼンス情報データベースに格納する。
【請求項１４】
請求項１０から１３いずれか１項に記載のＰｏＣサーバにおいて、
前記ＰＴＴ制御部は、前記グループリストに登録された特定の携帯端末からの要求に応じて、グループリストに含まれる他の端末装置に対し前記発言権信号を送信する発言権管理部を備える
ＰｏＣサーバ。
【請求項１５】
請求項１１から１３いずれか１項に記載のＰｏＣサーバにおいて、
前記ＰＴＴ制御部は、前記プレゼンス情報に基づいて前記発言権を付与する端末装置を決定し、前記端末装置に対して発言権信号を送信する発言者決定部を備える
ＰｏＣサーバ。
【請求項１６】
請求項１５に記載のＰｏＣサーバにおいて、
前記発言者決定部は、前記位置情報に基づいて前記発言権を付与する端末装置を決定し、前記端末装置に対して発言権信号を送信する
ＰｏＣサーバ。
【請求項１７】
端末装置のいずれかに対し、ＰＴＴ（Ｐｕｓｈ  ｔｏ  Ｔａｌｋ）通信における発言権を付与するための発言権信号を送信するステップと、
前記発言権信号を受信し、入力される音声をトリガとして前記音声を音声パケットに変換して送信するステップと、
前記音声パケットを受信し、前記音声パケットを複製して前記端末装置に関連する他の端末装置に前記音声パケットを転送するステップとを具備する
ＰｏＣ／Ｗ（Ｐｕｓｈ  ｔｏ  Ｔａｌｋ  ｏｖｅｒ  Ｃｅｌｌｕｌａｒ／Ｗｉｒｅｌｅｓｓ）通信方法。
【請求項１８】
請求項１７に記載のＰｏＣ／Ｗ通信方法において、
ＰｏＣサーバが、ＰＴＴ通信を実行するための接続勧誘信号を送信するステップと、
端末装置が、前記接続勧誘信号を受信し、前記接続勧誘信号に応答して参加表明信号を送信するステップと。
前記参加表明信号を受信し、前記参加表明信号に基づき、前記参加表明信号を送信した前記端末装置と前記ＰｏＣサーバとの間のセッションを確立するステップとを更に具備する
ＰｏＣ／Ｗ通信方法。
【請求項１９】
請求項１８に記載のＰｏＣ／Ｗ通信方法において、
前記セッションが確立された前記端末装置が、前記端末装置の状態を示すプレゼンス情報を送信するステップと、
前記プレゼンス情報を受信し、前記プレゼンス情報を表示するステップとを更に具備する
ＰｏＣ／Ｗ通信方法。
【請求項２０】
請求項１７から１９いずれか１項に記載のＰｏＣ／Ｗ通信方法において、
発言権を付与する端末装置を指定するための指名情報を送信するステップと、
前記指名情報を受信し、前記指名情報に基づいて前記発言権信号を送信するステップとを更に具備する
ＰｏＣ／Ｗ通信方法。
【請求項２１】
請求項１９いずれか１項に記載のＰｏＣ／Ｗ通信方法において、
前記プレゼンス情報に基づいてＰＴＴ通信における発言権を付与する端末装置を決定するステップを更に含み、
前記端末装置に対し、前記発言権信号を送信する
ＰｏＣ／Ｗ通信方法。
【請求項２２】
複数の端末装置を関連付けてグループリストとして格納するステップと、
ＰＴＴ（Ｐｕｓｈ  ｔｏ  Ｔａｌｋ）通信における発言権を付与するための発言権信号を前記複数の端末装置のいずれかに送信するステップと、
前記発言権信号によって発言権が付与された端末装置から送信された音声パケットを複製するステップと、
前記音声パケットを前記グループリストに含まれる端末装置に転送するステップとをコンピュータに実行させる
ＰｏＣ／Ｗ通信プログラム。
【請求項２３】
前記複数の端末装置との間のセッションを確立するステップと、
前記セッションを確立した端末装置から送信される前記端末装置の状態を示すプレゼンス情報に基づき前記発言権を付与する端末装置を決定し、前記端末装置に前記発言権信号を送信するステップとを更にコンピュータに実行させる
ＰｏＣ／Ｗ通信プログラム。
【発明の詳細な説明】
【技術分野】
【０００１】
本発明は、通信システムに関し、特にＰｏＣ／Ｗ（Ｐｕｓｈ  ｔｏ  Ｔａｌｋ  ｏｖｅｒ  Ｃｅｌｌｕｌａｒ／Ｗｉｒｅｌｅｓｓ）通信を利用した通信システムに関する。
【背景技術】
【０００２】
近年、携帯電話等のセルラ網を利用したＰｏＣ／Ｗ（Ｐｕｓｈ  ｔｏ  Ｔａｌｋ  ｏｖｅｒ  Ｃｅｌｌｕｌａｒ／Ｗｉｒｅｌｅｓｓ）が注目されている。ＰＴＴ（Ｐｕｓｈ  ｔｏ  Ｔａｌｋ）機能は、“押して”“話す”というトランシーバのように通話することができる技術やサービスであり、携帯電話のように相手の電話番号をダイヤルするのではなく、通話可能な相手を選択しボタンを押すことで、１対１あるいは、１対多の通話が可能になる。このため、ＰｏＣ／Ｗは特に、ユーザが同一グループ全体や特定の個人と繰り返し不定期に通話を行う必要がある場合に適している。
【０００３】
ＰＴＴ機能は、インターネットプロトコルを利用してデータ通信網で通話を行う、いわゆるＶｏＩＰの１つであり、携帯電話やＰＤＡといった携帯端末向けに開発され仕様方式の標準化が進められている。通常の回線交換方式と違い、データ通信網を使用するため、通話コストが安くなることから、利用者にとってのメリットも大きい。
【０００４】
ＰｏＣ／Ｗでは、相手との接続後は通話用のボタンを押している時間だけ、相手に音声を転送することができるが、ボタンを押している間は相手からの声は聞こえない。つまり会話を行うためには、お互いに短いやり取りでボタンを押したり離したりする必要がある。従来では、発言を希望するユーザが、通話用のボタンを押しつづけなければ発言権を得られず、通話することができない。このため、両手がふさがれるような作業者や運転中のドライバは、ボタン操作ができないので、発言権を得ることができないという操作性の問題があった。
【０００５】
又、ＰｏＣ／Ｗでは、グループ化した複数の相手ユーザにも同時接続し、通話用のボタンを押している端末からグループ内の他の全てのユーザに音声を送信することができる。しかし、同時に２つ以上の端末から音声を送信することはできない。このため、ユーザは発言権を持つユーザの発言終了を待つか、事前に発言の順番を取り決める等の処置が必要となる。
【０００６】
ＰＴＴ機能を利用した技術が特開２００４−２８９８４１号公報に開示されている（特許文献１参照）。この開示例では、無線ネットワークが発呼側のためのプッシュ・ツー・トーク操作とトラフィック・チャネルの発信を同時に開始するように、発呼側が無線ネットワークと通信する。呼出し側の移動局すなわち発呼側は、プッシュ・ツー・トーク操作の開始を要求するショート・データ・バースト（ＳＤＢ）メッセージを送信し、このＳＤＢメッセージに、その発呼側の発信を実施する指示を含める。このように、プッシュ・ツー・トーク設定における待ち時間を短縮している。
【０００７】
しかしながら、送話をする際、発呼側である無線端末を操作して無線ネットワークと通信して発言権を得る必要がある。
【特許文献１】特開２００４−２８９８４１号公報
【発明の開示】
【発明が解決しようとする課題】
【０００８】
本発明の目的は、ＰＴＴ（Ｐｕｓｈ  ｔｏ  Ｔａｌｋ）通信において、ユーザによる端末操作を必要とせずに、発言権を取得し、音声を他の端末装置に送信できるＰｏＣ／Ｗ通信システム、ＰｏＣサーバ、ＰｏＣ／Ｗ通信方法及びＰｏＣ／Ｗ通信プログラムを提供することにある。
【０００９】
本発明の他の目的は、端末装置の状態を示すプレゼンス情報に基づいて、同一グループに登録された端末装置に発言権を付与できるＰｏＣ／Ｗ通信システム、ＰｏＣサーバ、ＰｏＣ／Ｗ通信方法及びＰｏＣ／Ｗ通信プログラム及び発言権指名方法を提供することにある。
【課題を解決するための手段】
【００１０】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１１】
本発明によるＰｏＣ／Ｗ（Ｐｕｓｈ  ｔｏ  Ｔａｌｋ  ｏｖｅｒ  Ｃｅｌｌｕｌａｒ／Ｗｉｒｅｌｅｓｓ）通信システムは、通信網（５）に接続される複数の端末装置（２、３）と、通信網（５）に接続されるＰｏＣサーバ（１）を具備する。ＰｏＣサーバ（１）は、端末装置（２、３）のいずれかに対し、ＰＴＴ（Ｐｕｓｈ  ｔｏ  Ｔａｌｋ）通信における発言権を付与するための発言権信号を送信する発言権信号が受信される端末装置（３）は、端末装置（３）に入力される音声をトリガとして音声を音声パケットに変換し、他の端末装置（３）に対して音声パケットを転送する。このように、端末装置（３）は、他の端末装置（２、３）から発言権を取得でき、ユーザによる操作を必要とせずに音声を他の端末装置（２、３）に送信することができる。
【００１２】
第１の態様に係るＰｏＣ／Ｗ通信システムの複数の端末装置は、指名端末（２）と第１の端末装置（例えば３−Ａ）を含み、指名端末（２）は、発言権を付与する端末装置を指定するための指名情報を、ＰｏＣサーバ（１）に送信し、ＰｏＣサーバ（１）は指名情報に応じて、発言権信号を第１の端末装置（例えば３―Ａ）に送信する。又、ＰｏＣサーバ（１）は、発言権信号によって発言権を付与された第１の端末装置（例えば３―Ａ）から送信される音声パケットを複製し、音声パケットを指名端末（１）又は／及び第２の端末装置（例えば３―Ｂ）に転送するのが好ましい。
【００１３】
更にＰｏＣサーバは、ＰＴＴ通信を実行するための接続勧誘信号を複数の端末装置（３）に送信し、複数の端末装置（３）のいずれかの端末装置（３）は、接続勧誘信号に応答して参加表明信号をＰｏＣサーバに送信する。ＰｏＣサーバ（１）は、これらの参加表明信号を送信する端末装置と、ＰｏＣサーバ（１）との間のセッションを確立し、ＰＴＴ通信を実行する。
【００１４】
ＰｏＣサーバ（１）との間のセッションが確立された端末装置（３）は、ＰｏＣサーバ（１）に対し、端末装置（３）の状態を示すプレゼンス情報を送信し、ＰｏＣサーバ（１）は、プレゼンス情報と端末装置（３）とを関連付けたユーザ情報を指名端末（２）に送信し、指名端末（２）は、前記ユーザ情報を表示する。以上の構成により、指名端末（２）を操作するユーザは、プレゼンス情報を参照することで、発言権を付与する端末装置を決定し、指名端末（２）を操作することで、端末装置（例えば３―Ａ）に発言権を付与することができる。
【００１５】
通信網（５）に接続され、端末装置（３）のそれぞれの位置情報を保持する外部サーバ（４）を更に具備し、前記外部サーバは、位置情報をＰｏＣサーバ（１）に送信することが好ましい。ＰｏＣサーバ（１）は、位置情報と端末装置（３）とを関連付けたユーザ情報を指名端末（２）に送信し、指名端末（２）は、ユーザ情報を表示する。
【００１６】
第２の態様に係るＰｏＣ／Ｗ通信システムのＰｏＣサーバ（１）は、第１及び第２の端末装置（３）から送信される第１及び第２の端末装置（３）の状態を示すプレセンス情報の各々に基づき、発言権を付与する端末装置（３）を第１の端末装置（例えば３―Ａ）と決定し、第１の端末装置（例えば３―Ａ）に対し発言権信号を送信し、発言権信号によって発言権を付与された第１の端末装置（３−Ａ）から送信される音声パケットを複製し、音声パケットを第２の端末装置（例えば３−Ｂ）に転送する。このように自動的に発言権者を指定してＰＴＴ通信における音声の転送を行うことができる。
【００１７】
以上のように、本発明によるＰｏＣ／Ｗ通信システムは、ＰＴＴ通信における発言権を端末装置（３）に付与し、端末装置の操作を必要とせずに音声を他の端末装置（２、３）に送信することができる。  
【発明の効果】
【００１８】
本発明によるＰｏＣ／Ｗ通信システム、ＰｏＣサーバ及び発言権指名方法によれば、ＰＴＴ通信においてユーザによる端末操作に依存せずに発言権を取得し、グループに登録された他の端末装置に音声を送信できる。
【００１９】
又、端末装置の状態を示すプレゼンス情報に基づいて、グループに登録された端末装置の中の特定の端末装置に発言権を付与することができる。
【発明を実施するための最良の形態】
【００２０】
以下、添付図面を参照して、本発明によるＰｏＣ／Ｗ通信システムの実施の形態が説明される。本実施の形態においては、ＩＰ通信が可能なセルラ網である通信網５を利用してＰＴＴ（Ｐｕｓｈ  ｔｏ  Ｔａｌｋ）通信を実行するＰｏＣ／Ｗ通信システムを一例に説明される。尚、通信網５をセルラ網として使用する場合を通常モード、ＩＰ網としてＰＴＴ通信を実施する場合をＰＴＴ通信モードと、以下に記述される。
【００２１】
（第１の実施の形態）
図１及び図２、図５及び図６を参照して本発明によるＰｏＣ／Ｗ通信システムの第１の実施の形態が説明される。
【００２２】
（構成）
図１は、本発明によるＰｏＣ／Ｗ通信システムの第１の実施の形態における構成図である。ＰｏＣ／Ｗ通信システムは、ＰｏＣサーバ１と、指名端末２と、少なくとも１つ以上の携帯端末３−Ａ〜３−ｎと、外部サーバ４とを具備し、それぞれの装置は相互に通信網５で接続される。指名端末２は複数であってもよく、指名端末２毎に少なくとも１つ以上の携帯端末３が関連付けられてグループリストとしてＰｏＣサーバ１に登録される。本実施の形態によるＰｏＣサーバ１は、指名端末２からの要求によりグループリスト内の携帯端末３との間のセッションを確立し、各装置間においてＰＴＴ通信を実行させる。
【００２３】
指名端末２は、好適にはＰＣや携帯電話、ＰＤＡのような表示装置、情報処理装置、入力装置を備えた端末装置であり、通信網５に接続され、入力装置からの操作によって、ＰＴＴ通信モードにおいてＰｏＣサーバ１に登録された同一グループ内の携帯端末３に発言権を与える。又、指名端末２を使用するユーザが発言権を決定するために参考とするユーザ情報を表示装置に表示する。
【００２４】
携帯端末３は、ＩＰ通信可能なセルラ網やＬＡＮ等のＩＰパケット網のような通信網５に接続して相互に通信可能な携帯電話、ＰＤＡ、携帯ＰＣである。又、携帯端末３は、電話回線を利用できる通常モードと、ＰＴＴ通信が利用できるＰＴＴ通信モードの切り替え可能な携帯電話が好適である。携帯端末３はＰｏＣサーバからのＩＮｖｉｔｅ信号に応じて通常モードからＰＴＴ通信モードに切り替わる。又、ＰＴＴ通信モードにおいて発言権が付与された携帯端末３は、保有するマイクロフォンに入力された音声を音声パケットに変換して、通信網５を介しＰｏＣサーバに送信する。ＰｏＣサーバ１は、送信された音声パケットを関連する同一グループリスト内の他の携帯端末３及び指名端末２に転送する。
【００２５】
本発明によるＰｏＣ／Ｗ通信システムは、工場内において監督者が、各作業現場の作業状況を一括管理する場合に、好適に用いられる。例えば、監督者が指名端末２を操作し、各作業現場の作業者が携帯端末３−Ａ〜３−ｎを使用する。ＰＴＴ通信モードにおいて、監督者は指名端末２を操作して発言権を作業者に付与し、発言権を与えられた作業者は携帯端末３を用いて作業状況や故障状況等を監督者に報告することができる。又、同一グループリストに登録された他の携帯端末３にもその状況を同時に通報することができる。
【００２６】
図２は、ＰｏＣサーバ１の構成図である。ＰｏＣサーバ１は、ＣＰＵ１１と、通信部１２と、メモリやハードディスク等の記憶装置あるいはＭＯやＣＤＲＯＭ等の記憶媒体に格納されるプレゼンス情報Ｄ／Ｂ１３及びグループリストＤ／Ｂ１４と、プレゼンス制御部１５と、グループリスト管理部１６と、ＰＴＴ制御部１７とを具備する。
【００２７】
プレゼンス制御部１５、グループリスト管理部１６及びＰＴＴ制御部１７は、メモリやハードディスク等の記憶装置に格納されるプログラムであり、ＣＰＵ１１によって実行される。
【００２８】
通信部１２は、通信網１２に接続されるネットワークインターフェース及び信号やデータの送受信を実行する送受信制御部を含み指名端末２、携帯端末３−Ａ〜３−ｎ、外部サーバ４との間の信号やデータを送受信する。
【００２９】
プレゼンス制御部１５は、ＰＴＴ通信モードにおいて、携帯端末３から送信されるプレゼンス情報と、その携帯端末３とを関連付けてプレゼンス情報Ｄ／Ｂ１３に格納する。又、ユーザ情報取得部１７１が取得した位置情報とともに、指名端末２に送信する。図８（ａ）に示されるように、プレゼンス情報Ｄ／Ｂ１３の構造は、携帯端末３を識別するための端末ＩＤと携帯端末３の位置情報及びプレゼンス情報とが関連付けられて格納される。プレゼンス情報とは、好適には、指名端末２が発言権を付与する携帯端末３を決定するために用いる情報である。携帯端末３を使用しているユーザの作業状況等のようなユーザの現在の状態を示す情報（例えば、「作業現場へ車で移動中」や「作業中」、「接客中」、「昼休憩のため外出中」等の文字情報）や、作業プラントの状況を示す情報（例えば、「故障」「稼動中」等の文字情報や故障を告げる警告信号）や、携帯端末３自身の接続可能状況（例えば、「圏外」や「接続可能」を示す信号、「他のアプリケーションを使用中」等の文字情報）である。位置情報は、ユーザの位置を示す情報であり、外部サーバ４から送信される各携帯端末３の位置情報である。例えば、端末装置３の位置である「プラントＡ」や「休憩所」や「移動中」を示す文字情報や、位置座標や、地図を含む画像情報等である。位置情報は、外部サーバ４に対し各携帯端末３から送信される位置情報、又は外部サーバに事前に登録されたユーザ固有（固定）の位置情報である。又、外部サーバ４に対し各携帯端末３から送信される位置情報としては、ユーザの操作によって携帯端末３に入力された位置情報、携帯端末３に搭載されたＧＰＳによる位置座標や地図を含む画像情報でも良い。
【００３０】
グループリスト管理部１６は、図示しない入力装置からユーザによって入力された情報に基づき、ＰｏＣ／Ｗグループを生成・削除・編集し、グループリストとしてグループリストＤ／Ｂ１４に格納する。又、入力装置からの入力情報に基づきグループリストを抽出、図示しない表示装置に表示させる。尚、グループリストは、指名端末２から送信される情報に基づいて生成・削除・編集されても良い。図７に示されるように、グループリストＤ／Ｂ１４の構造は、指名端末２毎に、グループを識別するグループＩＤと携帯端末３を識別する端末ＩＤと、ＩＰアドレスやＵＲＬ等の指名端末２及び携帯端末３のＰｏＣ／Ｗアドレスとが関連付けられて格納される。又、各携帯端末３に対し発言権の有無が付与される。
【００３１】
ＰＴＴ制御部１７は、ユーザ情報取得部１７１と、指名部１７２と、発言権管理部１７３と、音声パケット複製部１７４と、パケット送信部１７５とを備える。ＰＴＴ制御部１７は、グループリストに登録された装置間のセッション接続処理、発言権を付与するための発言権信号の制御、発言権が付与された携帯端末３から送信された音声パケットを複製及び他の携帯端末３への転送を実行する。
【００３２】
ユーザ情報取得部１７１は、通信部１２を介して外部サーバ４から受信される各携帯端末３の位置情報を、その携帯端末３の端末ＩＤとプレゼンス情報とに関連付けてプレゼンス情報Ｄ／Ｂ１３に格納する。
【００３３】
発言権管理部１７３は、指名端末２から送信される指名情報を受信し、グループリストの発言権を付与する携帯端末に発言権有りのフラグを立て、発言権を与えられた携帯端末３に対し発言権を付与する発言権信号を発行する。又、新たな指名情報に基づき発言権有りのフラグを切り替え、発言権の切り替えを行う。
【００３４】
音声パケット複製部１７４は、携帯端末３から送信される音声パケットを複製し、その音声パケットをパケット送信部１７５から同一グループの携帯端末３及び指名端末２に転送する。
【００３５】
（動作）
図５は、本発明によるＰｏＣ／Ｗ通信システムの第１の実施の形態における発言権の指名処理及び音声送話処理の動作シーケンス図である。
【００３６】
本実施の形態では、指名端末２と携帯端末３−Ａ、３−Ｂ及び３−Ｃが同一グループとしてＰｏＣサーバ１のグループリストに登録されているものとする。尚、グループリストは、ユーザの操作によって指名端末２から通信網５を介してＰｏＣサーバ１に登録されても、直接ＰｏＣサーバ１に入力されても良い。
【００３７】
ユーザ（監督者）の入力装置の操作により指名端末２から、ＰＴＴ通信の参加を求めるｉｎｖｉｔｅ信号が通信網５を介してＰｏＣサーバ１に送信される（ステップＳ２）。
【００３８】
ＰｏＣサーバ１の接続部１７３は、Ｉｎｖｉｔｅ信号に含まれるグループＩＤに対応する携帯端末３−Ａから３−Ｃに対しＩｎｖｉｔｅ信号を送信する（ステップＳ４）。Ｉｎｖｉｔｅ信号を受信した携帯端末３−Ａ及び３−Ｂは、それぞれＰＴＴ通信のための接続を許可するための参加表明信号をＰｏＣサーバ１に送信する（ステップＳ６）。この際、携帯端末３はＩｎｖｉｔｅ信号を受信すると自動的に送信元のＰｏＣサーバ１に参加表明信号を送信しても、Ｉｎｖｉｔｅ信号に基づき、音や表示によってＰＴＴ通信の参加を求め、ユーザの操作によって参加表明信号を送信しても構わない。尚、本実施の形態における携帯端末３−Ｃは通信網５の通信圏外にある、あるいは故障しているため通信網５と接続できず、Ｉｎｖｉｔｅ信号を受信できない。このため、携帯端末３−Ｃは参加表明信号を送信できない。
【００３９】
ＰｏＣサーバ１の接続部１７２は、携帯端末３−Ａ及び３−Ｂのそれぞれから受信される参加表明信号に応答して、指名端末２及び携帯端末３−Ａ及び３−Ｂのそれぞれと、ＰｏＣサーバ１との間のセッションを確立し、携帯端末３−Ａ及び３−Ｂは通常モードからＰＴＴ通信モードに変更する（ステップＳ８）。又、セッションの確立は、好適にはＳＩＰ（Ｓｅｓｓｉｏｎ  Ｉｎｉｔｉａｔｉｏｎ  Ｐｒｏｔｏｃｏｌ）に基づいて行なわれる。セッション確立によってＰｏＣサーバ１に接続された携帯端末３−Ａ及び３−Ｂは、それぞれ自身のプレゼンス情報をＰｏＣサーバ１に送信する（ステップＳ１０）。例えば、携帯端末３−Ａを使用するユーザが作業中である場合、作業中を示すプレゼンス情報がＰｏＣサーバ１に送信される。ＰｏＣサーバ１のプレゼンス制御部１５は、そのプレゼンス情報「作業中」と端末ＩＤ「携帯端末３−Ａ」とを対応させてプレゼンス情報Ｄ／Ｂ１３に格納する。又、ユーザ情報取得部１７１は、セッション接続した携帯端末３−Ａ及び３−Ｂの位置情報を外部サーバ４に要求し、例えば位置情報「プラントＡ」や「プラントＢ」を外部サーバ４から取得し、それぞれの端末ＩＤに対応させてプレゼンス情報Ｄ／Ｂ１３に格納する。尚、圏外にあり、接続できなかった携帯端末３−Ｃ、あるいはセッション確立後に通信網５の圏外への移動や故障によって接続が切れた場合、図８（ａ）に示される携帯端末３−Ｃのように、プレゼンス情報は不通を示す情報（例えば「圏外」）が格納される。セッション接続した全ての携帯端末３からのプレゼンス情報を取得すると、プレゼンス制御部１５は、プレゼンス情報Ｄ／Ｂ１３から対象となる携帯端末３−Ａ及び３−Ｂのプレゼンス情報と位置情報を抽出し、ユーザ情報として指名端末２に送信する（ステップＳ１２）。
【００４０】
指名端末２はＰｏＣサーバから受信されるユーザ情報を表示装置に表示する（ステップＳ１４）。指名端末２のユーザは、表示されるユーザ情報を見ることで携帯端末３−Ａ及び３−Ｂの状況を把握でき、発言権を与える携帯端末３を決定する参考とする事ができる。入力装置からのユーザの操作によって携帯端末３−Ａに対し発言権を付与するための指名情報がＰｏＣサーバ１に送信される（ステップＳ１６）。この際、ユーザは、入力装置を操作して、指名端末２の表示装置に表示される携帯端末名から発言権を付与する携帯端末を選択しても、予め携帯端末に割り当てられたボタン等を押下することによって選択しもよい。指名情報には、発言権を付与する携帯端末３の端末ＩＤが含まれ、ＰｏＣサーバ１の発言権管理部１７３は、グループリストを参照して、その端末ＩＤに対応する携帯端末３、例えば携帯端末３−Ａに対し発言権信号を送信する（ステップＳ１８）。発言権信号が受信された携帯端末３−Ａは、音やランプ等の通知機能によってユーザに当該携帯端末３−Ａに発言権が付与された事を通知する（ステップＳ２０）。音やランプによって発言権が付与された事を知ったユーザは、携帯端末３−Ａが備えるマイクロフォンに対し通話を始める。携帯端末３−Ａは、入力された音声をトリガとして、音声を音声パケットに変換してＰｏＣサーバ１に送信する（ステップＳ２２）。尚、発言権取得を通知するランプや表示等の視覚に対する通知機能は、発言権が解除されるまで点灯している。
【００４１】
ＰｏＳサーバの音声パケット複製部１７４は、携帯端末３−Ａから送信された音声パケットを複製する。次に、グループリストを参照して、同じグループとして登録されている携帯端末３−Ａ以外の携帯端末３と指名端末２のＰｏＣ／Ｗアドレスを複製した音声パケットの送信アドレスとして携帯端末３−Ｂ及び３−Ｃ、指名端末２に転送する（ステップＳ２４）。このように、発言権を付与された携帯端末３−Ａを使用するユーザは、携帯端末３−Ａを操作することなく音声を入力する（声を発する）だけで他の携帯端末３−Ｂ、３−Ｃや指名端末２に送話する事ができ、携帯端末３を操作することが出来ない状況においてもＰＴＴ通信による送話が可能となる。
【００４２】
図６は、本発明によるＰｏＣ／Ｗ通信システムの発言権者の切り替え処理とＰＴＴ通信の終了処理の動作シーケンス図である。
【００４３】
発言権者を携帯端末３−Ａから携帯端末３−Ｂに切り替える場合について説明される。
【００４４】
指名端末２を操作するユーザは入力装置を操作して、発言権者に携帯端末３−Ｂを指定すると、携帯端末３−Ｂに発言権を付与するための指名情報がＰｏＣサーバ１に送信される（ステップＳ３２）。ＰｏＣサーバ１の接続部１７２は、グループリストを参照し、発言権「有り」となっている携帯端末３−Ａに対し、発言権を解除するための発言停止信号を送信するとともに、携帯端末３−Ｂに対し発言権信号を送信する（ステップＳ３４）。この際、発言権管理部１７３は、グループリストの携帯端末３−Ａの発言権を「無し」に設定し、携帯端末３−Ｂの発言権に「有り」と設定する。携帯端末３−Ａは、受信される発言停止信号をトリガとして、入力される音声を音声パケットに変換して送信することを停止し、この停止処理を実行したことをＰｏＣサーバ１に通知する。発言権信号が受信された携帯端末３−Ｂは、ステップＳ２０及びＳ２２と同様な動作により、ユーザによって入力された音声を音声パケットに変換してＰｏＣサーバ１に送信する（ステップＳ３６）。
【００４５】
ＰｏＳサーバ１の音声パケット複製部１７４は、ステップＳ２４と同様な動作により携帯端末３−Ｂから送信された音声パケットを指名端末２、携帯端末３−Ａ及び３−Ｃに転送する（ステップＳ３８）。このように、携帯端末３−Ａ及び３−Ｂを操作することなく、指名端末２によって発言権者を携帯端末３−Ａから３−Ｂに切り替えることができる。
【００４６】
ＰＴＴ通信を終了する際、ユーザの操作により指名端末２からＰｏＣサーバ１に対しＰｏＣ／Ｗ終了信号が送信される（ステップＳ４２）。ＰｏＣサーバ１はＰｏＣ／Ｗ終了信号に基づき、セッション接続している携帯端末３−Ａ及び３−Ｂに対しＰｏＣ／Ｗ終了信号を発行する（ステップＳ４４）。ＰｏＣ／Ｗ終了信号が受信された携帯端末３−Ａ及び３−Ｂはそれぞれ、終了許可信号をＰｏＣサーバ１に送信する（ステップＳ４６）。ＰｏＣサーバ１は終了許可信号を受信すると、携帯端末３−Ａ、３−Ｂ及び指名端末２との間のセッションを開放する。携帯端末３−Ａ及び３−Ｂは、それぞれのＰＴＴ通信モードを終了し、通常モード（ここでは携帯電話としての通信機能）に復帰する。
【００４７】
以上のように、本発明によるＰｏＣ／Ｗ通信システムは、ＰＴＴ通信の際、指名端末２によって携帯端末３に発言権を付与し、同一グループ内の携帯端末３及び指名端末２に対し音声を送信することができる。又、携帯端末３からプレゼンス情報が指名端末２に送信されるため、指名端末２において、グループ内の携帯端末３の現在の状況を把握することができる。
【００４８】
（第２の実施の形態）
図３及び図４を参照して、本発明によるＰｏＣ／Ｗ通信システムの第２の実施の形態が説明される。本実施の形態においては、ＩＰ通信が可能なセルラ網である通信網５を利用したＰｏＣ／Ｗ通信システムを一例に説明される。
【００４９】
（構成）
図３は、本発明によるＰｏＣ／Ｗ通信システムの第２の実施の形態における構成図である。第２の実施の形態における構成は、第１の実施の形態における指名端末２がない構成である。ＰｏＣサーバ１’は、ＰＴＴ通信中に発言権を携帯端末３に付与し、発言権を付与された携帯端末３は音声を音声パケットとして同一グループの他の携帯端末３に送信する。
【００５０】
図４は、本発明に係るＰｏＣサーバ１’の第２の実施の形態における構成図である。ＰｏＣサーバ１’は第１の実施の形態におけるプレゼンス情報Ｄ／Ｂ１３に換えてプレゼンス情報Ｄ／Ｂを備え、発言権管理部１７３に換えて発言者決定部１７３’を備える。発言者決定部１７３’は、位置情報又は／及びプレゼンス情報に基づいて発言権を付与する優先順位や発言時間を設定し、プレゼンス情報Ｄ／Ｂ１３’に格納する（図８（ｂ）参照）。又、プレゼンス情報Ｄ／Ｂ１３’を参照し、優先順位や発言時間に基づいて発言権信号や発言停止信号を送信して携帯端末３−Ａ〜３−ｎのいずれかに発言権を付与する。プレゼンス情報Ｄ／Ｂ１３’に設定される優先順位や発言時間は、位置情報やプレゼンス情報に対応して設定されていても良いし、位置情報やプレゼンス情報に関係なく携帯端末３毎に予め設定されていても良い。
【００５１】
（動作）
図９は、本発明によるＰｏＣ／Ｗ通信システムの第２の実施の形態における発言権の指名処理及び音声送話処理の動作シーケンス図である。
【００５２】
本実施の形態では、携帯端末３−Ａ、３−Ｂ、３−Ｃ・・・３−ｎが同一グループとしてＰｏＣサーバ１’のグループリストに登録されているものとする。尚、グループリストは、ユーザの操作によって端末装置３−Ａ〜３−ｎのうちの一つから通信網５を介してＰｏＣサーバ１に登録されても、直接ＰｏＣサーバ１’に入力されても良い。
【００５３】
ユーザの入力装置の操作により携帯端末３−Ａ〜３−ｎのうちの一つ（ここでは携帯端末３−Ａ）から、ＰＴＴ通信の参加を求めるｉｎｖｉｔｅ信号が通信網５を介してＰｏＣサーバ１’に送信される（ステップＳ５２）。
【００５４】
ユーザの操作によってＰｏＣサーバ１’の接続部１７２は、携帯端末３−Ａから送信されるＩｎｖｉｔｅ信号に含まれるグループＩＤに対応する携帯端末３−Ａから３−Ｃに対しＩｎｖｉｔｅ信号を送信する（ステップＳ５４）。Ｉｎｖｉｔｅ信号を受信した携帯端末３−Ｂ〜３−ｎは、それぞれＰＴＴ通信のための接続を許可するための参加表明信号をＰｏＣサーバ１’に送信する（ステップＳ５６）。この際、各携帯端末３はＩｎｖｉｔｅ信号を受信すると自動的に送信元のＰｏＣサーバ１’に参加表明信号を送信しても、Ｉｎｖｉｔｅ信号に基づき、ユーザに対し音や表示によってＰＴＴ通信の参加を求め、ユーザの操作によって参加表明信号を送信しても構わない。尚、本実施の形態における携帯端末３−Ｃは通信網５の通信圏外にある、あるいは故障しているため通信網５と接続できず、Ｉｎｖｉｔｅ信号を受信できない。このため、携帯端末３−Ｃは参加表明信号を送信できない。
【００５５】
ＰｏＣサーバ１’の接続部１７２は、携帯端末３−Ｂ〜３−ｎ（携帯端末３−Ｃを除く）のそれぞれから受信される参加表明信号に応答して、携帯端末３−Ａから３−ｎ（携帯端末３−Ｃを除く）のそれぞれと、ＰｏＣサーバ１との間のセッションを確立する（ステップＳ５８）。又、セッションの確立は、好適にはＳＩＰ（Ｓｅｓｓｉｏｎ  Ｉｎｉｔｉａｔｉｏｎ  Ｐｒｏｔｏｃｏｌ）に基づいて行なわれる。セッション確立によってＰｏＣサーバ１に接続された携帯端末３−Ａ〜３−ｎ（携帯端末３−Ｃを除く）は、それぞれ自身のプレゼンス情報をＰｏＣサーバ１’に送信する（ステップＳ６０）。位置情報及びプレゼンス情報の送信は、第１の実施の形態におけるステップＳ１０と同様である。この際、発言権を得るための優先順位や発言時間を送信しても構わない。携帯端末３−Ｃのプレゼンス情報は、第１の実施の形態における携帯端末３−Ｃと同様なので説明は省略される。
【００５６】
ＰｏＣサーバ１’の発言者決定部１７３’は、プレゼンス情報Ｄ／Ｂ１３’を参照して、位置情報やプレゼンス情報を基に優先順位を決定し、それぞれの端末ＩＤに対応付けてプレゼンス情報Ｄ／Ｂ１３’に格納する。例えば、図８（ｂ）に示されるように、携帯端末３−Ａは位置情報が「プラントＡ」であるため位置情報「プラントＢ」の携帯端末３−Ｂより高い優先順位が設定され、携帯端末３−ｎはプレゼンス情報が「休憩中」であるため「作業中」の携帯端末３−Ａ及び３−Ｂより低い優先順位が設定される。又、圏外である携帯端末３−Ｃには接続しないため、優先順位や発言時間は設定されない。発言時間は、図８（ｂ）のように位置情報やプレゼンス情報に基づいた時間配分でも、全て同じ時間に設定されても良い。尚、優先順位や発言時間は、発言者決定部１７３’が設定せずに、ユーザが携帯端末３に入力し、携帯端末３から直接取得しても構わない。
【００５７】
ＰｏＣサーバ１’の発言者決定部１７３’は、プレゼンス情報Ｄ／Ｂ１３’を参照して、優先順位の高い携帯端末３、例えば携帯端末３−Ａに発言権信号を送信する（ステップＳ６２）。発言権信号が受信された携帯端末３−Ａは、音やランプ等の通知機能によってユーザに当該携帯端末３−Ａに発言権が付与された事を通知する（ステップＳ６４）。音やランプによって発言権が付与された事を知ったユーザは、携帯端末３−Ａが備えるマイクロフォンに対し通話を始める。携帯端末３−Ａは、入力された音声をトリガとして、音声を音声パケットに変換してＰｏＣサーバ１’に送信する（ステップＳ６６）。
【００５８】
ＰｏＳサーバ１’の音声パケット複製部１７４は、携帯端末３−Ａから送信された音声パケットを複製する。次に、グループリストを参照して、同じグループとして登録されている携帯３−Ｂ〜３−ｎ（携帯３−Ｃは除く）のＰｏＣ／Ｗアドレスを複製した音声パケットの送信アドレスとして、携帯３−Ｂ〜３−ｎ（携帯３−Ｃは除く）に転送する（ステップＳ６８）。このように、発言権を付与された携帯端末３−Ａを使用するユーザは、携帯端末３−Ａを操作することなく音声を入力する（声を発する）だけで他の携帯３−Ｂ〜３−ｎ（携帯３−Ｃは除く）に送話する事ができ、ユーザが携帯端末３を操作することが出来ない状況においてもＰＴＴ通信による送話が可能となる。
【００５９】
図１０は、本発明によるＰｏＣ／Ｗ通信システムの第２の実施の形態における発言権者の切り替え処理の動作シーケンス図である。
【００６０】
発言権者を携帯端末３−Ａから携帯端末３−Ｂに切り替える場合について説明される。
【００６１】
携帯端末３−Ａに発言権信号が送信されてから、プレゼンス情報Ｄ／Ｂ１３’に設定されている発言時間が経過すると、ＰｏＣサーバ１’の発言者決定部１７３’は、発言権停止信号を携帯端末３−Ａに送信するとともに（ステップＳ７２）、携帯端末３−Ｂに対し発言権信号を送信する（ステップＳ７４）。この際、発言者決定部１７３’は、グループリストの携帯端末３−Ａの発言権を「無し」に設定し、携帯端末３−Ｂの発言権に「有り」と設定する。携帯端末３−Ａは、受信される発言停止信号をトリガとして、入力される音声を音声パケットに変換して送信することを停止し、この停止処理を実行したことをＰｏＣサーバ１に通知する。発言権信号が受信された携帯端末３−Ｂは、ステップＳ６４及びＳ６６と同様な動作により、ユーザによって入力された音声を音声パケットに変換してＰｏＣサーバ１’に送信する（ステップＳ７６）。
【００６２】
ＰｏＳサーバ１’の音声パケット複製部１７４は、ステップＳ６８と同様な動作により携帯端末３−Ｂから送信された音声パケットを携帯端末３−Ａ〜３−ｎ（携帯端末３−Ｃを除く）に転送する（ステップＳ７８）。このように、携帯端末３−Ａ及び３−Ｂを操作することなく、自動的に発言権者を携帯端末３−Ａから３−Ｂに切り替えることができる。尚、本実施の形態では、発言時間によって発言権を持つ携帯端末３の切り替えを実行したが、時間以外の切り替え条件でも構わない。
【００６３】
ＰＴＴ通信を終了する際、ユーザの操作により例えばＰＴＴ通信を開始した（最初にＩｎｖｉｔｅ信号を送信した）携帯端末３−ＡからＰｏＣサーバ１’に対しＰｏＣ／Ｗ終了信号が送信される。ＰｏＣ／Ｗ終了信号が受信されたＰｏＣサーバ１’の接続部１７２は、第１の実施の形態におけるステップＳ４４からＳ４８と同様に携帯端末３−Ａ〜３−ｎ（携帯端末３−Ｃは除く）の間のセッションを解除し、携帯端末３−Ａ〜３−ｎ（携帯端末３−Ｃは除く）は、それぞれのＰＴＴ通信モードを終了し、通常の通信モード（例えば、携帯電話としての通信機能）に復帰する。
【００６４】
以上のように、携帯端末３−Ａ〜３−ｎの間におけるＰＴＴ通信において、両手を使用して作業しているユーザは携帯端末３を操作しなくても送話させたい携帯端末３を指定し、送話することができる。これにより、携帯端末３の操作をせずに作業状況や運送状況を監督者に定期的に報告することができる。又、ＰＴＴ機能により、ＩＰパケット網を利用して送話するため、電話回線を用いるよりも安価に通話することができる。
【００６５】
以上、本発明の実施の形態を詳述してきたが、具体的な構成は上記実施の形態に限られるものではなく、本発明の要旨を逸脱しない範囲の変更があっても本発明に含まれる。尚、本実施の形態においてＰｏＳサーバ１及び１’は、外部サーバ４から位置情報を取得したが、ＧＰＳ機能やＲＦＩＤ（Ｒａｄｉｏ  Ｆｒｅｑｕｅｎｃｙ  Ｉｄｅｎｔｉｆｉｃａｔｉｏｎ）によって位置情報を得られる各携帯端末３から直接取得しても構わない。
【図面の簡単な説明】
【００６６】
【図１】図１は、本発明によるＰｏＣ／Ｗ通信システムの第１の実施の形態における構成図である。
【図２】図２は、本発明によるＰｏＣサーバの第１の実施の形態における構成図である。
【図３】図３は、本発明によるＰｏＣ／Ｗ通信システムの第２の実施の形態における構成図である。
【図４】図４は、本発明によるＰｏＣサーバの第２の実施の形態における構成図である。
【図５】図５は、本発明によるＰｏＣ／Ｗ通信システムの第１の実施の形態における発言権の指名処理及び音声送話処理の動作シーケンス図である。
【図６】図６は、本発明によるＰｏＣ／Ｗ通信システムの第１の実施の形態における発言権者の切り替え処理とＰＴＴ通信の終了処理の動作シーケンス図である。
【図７】図７は、本発明によるグループリストデータベースの構成図である。
【図８】図８（ａ）は、本発明によるプレゼンス情報データベース第１の実施の形態における構成図である。  図８（ｂ）は、本発明によるプレゼンス情報データベース第２の実施の形態における構成図である。
【図９】図９は、本発明によるＰｏＣ／Ｗ通信システムの第２の実施の形態における発言権の指名処理及び音声送話処理の動作シーケンス図である。
【図１０】図１０は、本発明によるＰｏＣ／Ｗ通信システムの第２の実施の形態における発言権者の切り替え処理の動作シーケンス図である。
【符号の説明】
【００６７】
１、１’：ＰｏＣサーバ
２：指名端末
３、３−Ａ〜３−ｎ：携帯端末
４：外部端末
５：通信網
１１：ＣＰＵ
１２：通信部
１３、１３’：プレゼンス情報Ｄ／Ｂ
１４：グループリストＤ／Ｂ
１５：プレゼンス制御部
１６：グループリスト管理部
１７：ＰＴＴ制御部
１７１、１７１’：ユーザ情報取得部
１７２：接続部
１７３：発言権管理部
１７３’：発言者決定部
１７４：音声パケット複製部
１７５：パケット送信部
【図１】
2006245934.tif 000003
【図２】
2006245934.tif 000004
【図３】
2006245934.tif 000005
【図４】
2006245934.tif 000006
【図５】
2006245934.tif 000007
【図６】
2006245934.tif 000008
【図７】
2006245934.tif 000009
【図８】
2006245934.tif 000010
【図９】
2006245934.tif 000011
【図１０】
2006245934.tif 000012